(57)【要約】【課題】  プリンタ部とコントローラ部との接続で水平同期信号しかないツインビームエンジンにおいて、利用状況に応じて省電力化を段階的に行い、プリンタ部の電源を遮断し、コントローラ部は給電のままというモードの場合、その移行及び復帰時において同期信号線にリンギングにより印字有効領域外に同期信号がアクティブ状態となってしまう場合があり、コントローラ側がその同期信号を認識してしまうという問題を解決する印刷装置の提供。【解決手段】  水平同期信号の立ち上がりエッジから任意時間後の水平同期信号の状態を検出し、前段のパルス期間か後段のパルス期間かを判定する手段と、この検出結果と別途水平同期の立ち下りエッジでトグルした信号の状態時に水平同期信号の信号レベルを確認する手段により、プリンタ側のみがスリープ状態になってもコンローラ側のシーケンスを初期化させ有効印字領域内の水平同期信号で正常動作させることが可能となる。【選択図】        図２
2006248155.tif 000002
【特許請求の範囲】
【請求項１】
コンピュータ等の上位装置より、文字コードや制御コードや画像などのイメージデータ等で構成される文章情報を受け取り印刷するツインビーム方式でかつコントローラ部とプリンタ部の接続を必要最小限とし、信号線としてビデオデータ線、水平方向同期信号線、プリンタ通信線で構成された及び省電力化を図る目的で段階的に電源を部分的に遮断する印刷装置において、水平方向同期信号によりシーケンスを初期化し、ビデオデータを該水平同期信号に同期させて出力する場合において、水平方向同期信号の立ち上がりエッジから任意時間後の水平方向同期信号状態を検出し、ツインビームのうち第一のビーム用水平方向同期信号期間か、第二のビーム用水平方向同期信号期間かを判定させる手段と、水平方向同期信号の立ち下がりエッジでトグルさせた信号を生成させる手段と、前述の水平方向同期信号の検出結果と該トグル信号との状態により水平方向同期信号の信号レベルを確認する手段を備え、何れの省電力の動作においてもその移行時及び復帰時に発生する恐れのある水平方向同期信号線のリンギングによる予期しない水平方向同期信号が入力による不具合を回避する復帰回路を備えたことを特徴とする印刷装置。
【請求項２】
前記印刷装置において、プリンタ部へビデオデータを出力させる同期信号としてコントローラ部は有効画像領域分の水平方向の同期信号のみを受信しその水平方向同期信号に同期させてビデオデータ出力するとともに、その水平方向同期信号より垂直方向をも同期させることを特徴とする請求項１に記載の印刷装置。
【請求項３】
前記印刷装置において、プリンタ部のレーザー照射が１スキャン時に２ライン分同時に照射することが可能な構成をもち、コントローラ部には水平方向同期信号として１本の信号線において２パルス連続で入力することにより、最初のパルス部は第一のレーザービーム同期用、後発のパルス部は第二のレーザービーム同期用のパルスである構成を特徴とする請求項１に記載の印刷装置。
【請求項４】
前記印刷装置において、省電力化を図るとともに、省電力モード時にジョブを受信した時の復帰及び反応時間等を効率よく行うために段階的に電源を遮断するように制御可能な構成を持ち、少なくともプリンタ部の電源は遮断されコントローラ部の電源は供給される状態が発生する請求項１に記載の印刷装置。
【発明の詳細な説明】
【技術分野】
【０００１】
本発明は、コンピュータ等の上位装置より作成した、文字、イメージ等の文書情報等を印刷する印刷装置であり、描画処理した画像データをプリンタ部に印刷データとして、同時に２ライン分の印刷データを出力し、一度のレーザー照射で複数ラインを同時に印刷することが可能な印刷装置において、利用状態により段階的に実行される省電力モード時において、プリンタ部の電源のみを遮断、コントローラ部の電源は供給されたままの場合において、該省電力モード時への移行及び復帰時に発生する恐れのある問題を回避する印刷装置に関するものである。
【背景技術】
【０００２】
従来、コントローラ部とプリンタ部の接続においては、水平方向同期信号と垂直方向同期信号の２つの同期信号とビデオデータ信号、プリンタ部のステータスを得るための通信信号及び重要度の高いステータスについては前期通信信号より得るとは別に専用の信号線を設けプリンタ部の状態を確認できる構成であり、プリンタ部へビデオデータを出力する場合において、ページの先頭で垂直同期信号が入力され、その同期信号に同期してシーケンスの初期化及び起動を行い、ライン方向に対しては水平方向同期信号に同期させて出力させるという印刷装置があり、またプリンタ部とコントローラ部の接続信号を必要最小限の構成とし、簡素化を図ると共に、接続コネクタの省スペース化及び電界ノイズの軽減を図る印刷装置もあり、プリンタ部へビデオデータを出力する場合において、水平方向同期信号のみで垂直方向及び水平方向に同期してシーケンスの初期化及び起動を行うという方式の印刷装置も存在する（例えば、特許文献１参照）。
【０００３】
また近年環境を考慮した製品が必要不可欠なものとなっており、前述の印刷装置において環境対応を検討する上においてその一つとして省電力化が検討されている。ある期間、印刷装置がジョブを受信しないスタンバイの状態が続いた場合、その利用状況に応じて段階的に部分的に電源を制御し、最終的に最も省電力を実現する方法としてできるだけ必要最小限に構成された復帰用の回路部のみ電源を供給し、他の復帰に必要ない回路についてはプリンタ部及びコントローラ部を含めて電源を遮断に省電力化を行うことで待機電力の省電力化等を実現している。
【特許文献１】特開平８−１２７１５０号公報
【発明の開示】
【発明が解決しようとする課題】
【０００４】
しかしながら、上記のように利用状況に応じて段階的に省電力化を行う過程において、省電力状態からの復帰時間を速くするためや、ＬＡＮインターフェースのようにＷＯＬ（Ｗａｋｅ  Ｏｎ  ＬＡＮ）対応等の機能を基本的に備わっていない前述の印刷装置に装備されているセントロニクスやＵＳＢ（Ｕｎｉｖｅｒｓａｌ  Ｓｅｒｉａｌ  Ｂａｓｓ）のようなローカルインターフェースを介して受信されるジョブに応答するため、省電力モードとしては中レベルの対応として、待機時にはプリンタ部のみの電源を遮断し、コントローラ部の電源はそのまま供給し、ローカルインターフェースのジョブを受信可能とするとともに省電力化を可能とする。
【０００５】
しかしこの省電力モードに移行（プリンタ側の電源遮断）及び復帰（プリンタ側の電源供給）する場合において、コントローラ側のシーケンスの初期化、起動を生成する同期信号にリンギングが発生してしまい、この間コントローラ側は常に動作状態（電源供給）のためリンギングのレベルによっては印字有効領域以外の箇所で同期信号を入力し認識してしまうことで、シーケンスの初期化及び起動を行い出力結果等に不具合が生じてしまうという問題があり、本発明はこの不具合を回避させること目的としている。
【０００６】
すなわち、本発明は、プリンタ部とコントローラ部が必要最小限の接続で構成されている場合において、プリンタ部の電源を遮断し、コントローラ部の電源は供給されたままのような、中レベルの省電力状態の移行及び復帰時の同期信号によるシーケンスのエラーを検出し、検出した結果から初期化、正常な動作へと復帰させることが自動的に可能となる印刷装置を提供することを目的とする。
【課題を解決するための手段】
【０００７】
上述した目的を達成するために、本発明はツインビーム方式の印刷装置における中レベルの省電力状態への移行及び復帰時などに発生する同期信号の不正を監視し、正常動作へと復帰させる方法は以下に示す構成を備える。
【０００８】
コントローラ部においてプリンタ部より入力される同期信号の立ち下がりエッジを検出する手段と、前記立ち下がりエッジを検出されると信号のトグルを行うトグル手段と、別途前記プリンタ部より入力される同期信号の立ち上がりエッジを検出する手段と、前記立ち上がりエッジを検出した後の任意時間後をカウントするカウント手段と、前記任意時間カウントとなった時の同期信号を検出する手段と、検出同期信号と前記トグル信号の関係を解析する手段と、前記解析結果により印字有効領域外に発生したもの判断した場合にシーケンスを初期化する手段と、前記初期化により正当な動作へと復帰させる手段と、を有することを特徴とする。
【０００９】
なお、さらに説明すれば、本発明の第一の発明について下記のように示す。
【００１０】
コンピュータ等の上位装置より、文字コードや制御コードや画像などのイメージデータ等で構成される文章情報を受け取り印刷するツインビーム方式でかつコントローラ部とプリンタ部の接続を必要最小限とし、信号線としてビデオデータ線、水平方向同期信号線、プリンタ通信線で構成された及び省電力化を図る目的で段階的に電源を部分的に遮断する印刷装置において、水平方向同期信号によりシーケンスを初期化し、ビデオデータを該水平同期信号に同期させて出力する場合において、水平方向同期信号の立ち上がりエッジから任意時間後の水平方向同期信号状態を検出し、ツインビームのうち第一のビーム用水平方向同期信号期間か、第二のビーム用水平方向同期信号期間かを判定させる手段と、水平方向同期信号の立ち下がりエッジでトグルさせた信号を生成させる手段と、前述の水平方向同期信号の検出結果と該トグル信号との状態により水平方向同期信号の信号レベルを確認する手段を備え、何れの省電力の動作においてもその移行時及び復帰時に発生する恐れのある水平方向同期信号線のリンギングによる予期しない水平方向同期信号が入力による不具合を回避することを特徴とする復帰回路を備えた印刷装置。
【発明の効果】
【００１１】
本発明によって、プリンタ部とコントローラ部が必要最小限の接続で構成されている場合において、プリンタ部の電源を遮断し、コントローラ部の電源は供給されたままのような、中レベルの省電力状態の移行及び復帰時の同期信号によるシーケンスのエラーを検出し、検出した結果から初期化、正常な動作へと復帰させることが自動的に可能となる。
【発明を実施するための最良の形態】
【００１２】
以下本発明を実施するための最良の形態を、実施例により詳しく説明する。
【実施例】
【００１３】
本発明の実施形態を説明する前に、本実施形態を適用するのに好適なツインビーム方式のレーザービームプリンタの構成について添付図面を参照しながら説明する。
【００１４】
図１は、本発明を適用可能な出力装置の構成を示す断面図であり、レーザービームプリンタを示している。図１は、ツインビーム方式のレーザービームプリンタであり図中のようにレーザー光が一度に２本照射されることとなる。
【００１５】
図において、１５００はレーザービームプリンタ本体であり、外部に接続されているホストコンピュータから供給される印刷情報（文字コード等）やフォーム情報あるいはマクロ命令等を入力して記憶するとともに、それらの情報に従って対応する文字パターンやフォームパターン等を作成し、記憶媒体である記録紙等に像を形成する。１５０１は操作の為のスイッチ及びＬＥＤ表示器が配置されている操作パネル、１０００はレーザービームプリンタ本体１５００全体の制御及びホストコンピュータから供給される文字情報等を解析するプリンタ制御ユニットである。このプリンタ制御ユニット１０００は、主に文字情報を対応する文字パターンのビデオ信号に変換してレーザードライバ１５０２に出力する。レーザードライバ１５０２は半導体レーザー１５０３を駆動する為の回路であり、入力されたビデオ信号に応じて半導体レーザー１５０３から発射されるレーザー光１５０４ａ及び１５０４ｂをＯＮ・ＯＦＦ切り換えする。
【００１６】
レーザー光１５０４ａ及び１５０４ｂは回転多面鏡１５０５で左右方向に振らされて静電ドラム１５０６上を走査露光する。これにより、静電ドラム１５０６上には文字パターンの静電潜像が形成されることになる。この潜像は、静電ドラム１５０６上には周囲に配置された現像ユニット１５０７により現像された後、記録紙に転写される。
【００１７】
この記録紙にはカットシートを用い、カットシート記録紙はレーザービームプリンタ１５００に装着した用紙カセット１５０８に収納され、給紙ローラ１５０９及び搬送ローラ１５１０と搬送ローラ１５１１とにより、装置内に取り込まれて、静電ドラム１５０６に供給される。また、レーザービームプリンタ本体１５００には、図示しないカードスロットを少なくとも１個以上備え、内蔵フォントに加えてオプションフォントカード、言語系の異なる制御カード（エミュレーションカード）を接続出来るように構成されている。
【００１８】
図２は本発明の実施例を示すプリンタ制御システムの構成を説明するブロック図である。なお、本発明の機能が実行されるものであれば、単体の機器であっても、複数の機器からなるシステムであっても、ＬＡＮ等のネットワークを介して処理が行われるシステムであっても本発明を適用出来ることは言うまでもない。
【００１９】
プリンタ１５００において、１２はプリンタＣＰＵで、ＲＯＭ１３のプログラム用ＲＯＭに記憶された制御プログラム等あるいは外部メモリ１４に記憶された制御プログラム等に基づいてシステムバス１５に接続される各種のデバイスとのアクセスを総括的に制御し、印刷部インターフェース１６を介して接続されるプリンタ部（プリンタエンジン）１７に出力情報としての画像信号を出力する。
【００２０】
また、このＲＯＭ１３のプログラムＲＯＭにはＣＰＵ１２の制御プログラムを記憶する。ＲＯＭ１３のフォント用ＲＯＭには上記出力情報を生成する際に使用するフォントデータ等を記憶し、ＲＯＭ１３のデータ用ＲＯＭにはハードディスク等の外部メモリ１４が無い場合には、ホストコンピュータ上で利用される情報等を記憶している。入力部１８でホストコンピュータ３０００との通信を行い、プリンタ固有の言語で記述されたコードデータやイメージデータを受ける。
【００２１】
ＣＰＵ１２は入力部１８を介してホストコンピュータとの通信処理が可能となっており、プリンタ内の情報等をホストコンピュータ等に通信可能に構成されている。１９はＣＰＵ１２の主メモリ、ワークエリア等として機能するＲＡＭで図示しない増設ポートに接続されるオプションＲＡＭによりメモリ容量を拡張することが出来るように構成されている。なお、ＲＡＭ１９は、出力情報展開領域、環境データ格納領域、ＮＶＲＡＭ等に用いられる。
【００２２】
ＡＳＩＣ２２はＲＯＭ１３やＲＡＭ１９等のメモリコントローラやＤＭＡコントローラ、Ｉ／Ｆコントローラ等の制御回路やＲＡＭ１９に格納されたホストコンピュータからの文章情報等を順次解析し例えば文字コードはフォント用ＲＯＭのデータによりビットマップデータへと展開され、ＲＡＭ（ビットマップメモリ）に格納される。ＡＳＩＣ２２によってバンド毎またはページ毎に描画処理され画像データを印刷部Ｉ／Ｆ１６を介して印刷部１７に出力する。
【００２３】
前述したハードディスク（ＨＤ）、ＩＣカード等の外部メモリ１４は、ＡＳＩＣ２２によりアクセスを制御される。外部メモリ１４は、オプションとして接続され、フォントデータ、エミュレーションプログラム、フォームデータ等を記憶する。また、１５０１は前述した操作パネルで操作のためのスイッチ及びＬＥＤ表示器等が配置されている。
【００２４】
また、前述した外部メモリは一個に限らず、少なくとも一個以上備え、内蔵フォントに加えてオプションフォントカード、言語系の異なるプリンタ制御言語を解釈するプログラムを格納した外部メモリを複数接続出来るように構成されていてもよい。さらに図示しないＮＶＲＡＭを有し、操作パネル１５０１からのプリンタモード設定情報を記憶するようにしても良い。本発明の同期信号を監視しシーケンスのエラーを検出した場合、シーケンスを初期化し正常な動作へと復帰させる回路についてはＡＳＩＣ２２の内部に備えている。また外部回路として構成していても問題ないことはいうまでのない。
【００２５】
コントローラ部１０００に供給される電源としては、プリンタ部１７に装備されている電源部より供給され、電源の制御は印刷部インターフェース１６を介して制御信号を制御することで可能な構成である。
【００２６】
図３は、コントローラ部１０００とプリンタ部１７の構成を説明する接続図である。コントローラ１０００とプリンタ部１７間はプリント部インターフェース１６を介して、プリント部のステータスをやり取りするためのシリアル通信信号、ＳＣＬＫ（シリアル通信クロック）と双方向信号のＳＣ（シリアル通信データ）、プリンタ部１７へビデオデータを出力するためのＶＤＡＴＡ１、２（ビデオデータ信号）、なお本発明を適用されるのはツインビーム方式のプリンタのため２本の信号線で接続されている、ビデオデータの出力の同期するための水平方向同期信号／ＢＤ、プリンタ部の電源制御信号／ＰＯＮで接続されており、各信号は、片電源対応としてＬＯＧＩＣ部２３を介してＡＳＩＣ２２と接続されている。
【００２７】
図４は、省電力対応として設けられたモードと電源の関係をまとめた表である。モードとして通常の状態に加え、省電力モードとして効果的なレベルに分かれて３のレベルが存在し、小レベルとしてコントローラ部１０００とプリンタ部１７の電源は遮断せずにソフト的な設定による省電力としてスリープ１モード、中レベルとしてコントローラ部１０００の電源は供給し、プリンタ部１７の電源は遮断して省電力化を行うスリープ２モード、大レベルとしてコントローラ部１０００の復帰に必要な最小限な回路のみ給電し、プリンタ部１７の電源は遮断するスリープ３モードがあり、本発明はスリープ２モードの移行及び復帰の際に発生する恐れがある問題を解決するものである。
【００２８】
図５は、省電力モードへと移行及び復帰する場合の条件を記載した状態遷移図である。印刷状態のオフ状態（Ｓ１００）より、電源スイッチをＯＮすることでスタンバイ状態（Ｓ１０１）に遷移する。スタンバイ状態（Ｓ１０１）から印刷要求がある場合は図示していないプリント状態へと遷移し、印刷ジョブが終了するとプリント状態からスタンバイ状態（Ｓ１０１）に遷移する。スタンバイ状態（Ｓ１０１）から一定時間待機状態によるタイムアウトでスリープ１（Ｓ１０２）もしくはスリープ２（Ｓ１０３）へと遷移し、また一定時間待機状態によるタイムアウトまたはネットワークからのコマンド指示によりスリープ３（Ｓ１０４）へ遷移する。ソフト的な設定により小レベルな省電力の効果であるスリープ１（Ｓ１０２）からは、プリンタ部のステータスを確認する必要が生じた場合や印刷要求があった場合に、スタンバイ状態（Ｓ１０１）へと遷移、また一定時間待機状態によるタイムアウトによりスリープ２（Ｓ１０３）へと遷移し、一定時間待機状態によるタイムアウトまたはネットワークからのコマンド指示によりスリープ３（Ｓ１０４）へ遷移する。
【００２９】
コントローラ部の電源は供給したままで、プリンタ部の電源を遮断する中レベルな省電力の効果であるスリープ２（Ｓ１０３）からは、プリンタ部のステータスを確認する必要が生じた場合や印刷要求があった場合に、スタンバイ状態（Ｓ１０１）へと遷移、ＨＤＤのような＋５Ｒ系のデバイスへとアクセスする場合または利用者が操作部に設けられた復帰用スイッチを操作して復帰操作を行った場合に、スリープ１（Ｓ１０２）へと遷移する。
【００３０】
また、一定時間待機状態によるタイムアウトまたはネットワークからのコマンド指示によりスリープ３（Ｓ１０４）へ遷移する。コントローラ部への電源を復帰に必要な必要最小限部分のみ給電して他を遮断し、プリンタ部の電源も遮断する大レベルな省電力の効果であるスリープ３（Ｓ１０４）からは、利用者が操作部に設けられた復帰用スイッチを操作して復帰操作を行った場合または、ネットワークよりデータを受信した場合または、コントローラ部に備わっている時計によりアラーム割り込みを検出することにより、スリープ２（Ｓ１０３）へと遷移する。
【００３１】
図６は、本発明の同期信号の監視及びシーケンスの復帰を行う構成を説明するブロック図である。本ブロック図はＡＳＩＣ２２内部で構成されているものを一実施例として説明している。同期信号の監視及び復帰回路３０は、水平方向同期信号／ＢＤの立ち上がりエッジを検出する検出部３１と立ち下がりエッジを検出する検出部３２、立ち下がりエッジ検出部３１より立ち下がりエッジを検出するとトグル部３３によりＢＤ＿ＴＧＬ信号をトグルする、また立ち上がりエッジ検出部３２より立ち下がりエッジを検出するとカウンタ３４が起動し、別途設定された任意のカウント値までカウントし、カウントが終了するとＣＮＴ＿ＥＮＤ信号がＴＵＲＥとなる、同期信号検出部３５前述のＣＮＴ＿ＥＮＤ信号と／ＢＤ信号が入力されており、立ち上がりエッジから任意のカウント後の／ＢＤ信号の状態により、ＢＤ＿ＦＬＧ信号を決定する、ＢＤ＿ＦＬＧ信号は前述のトグル部３３に入力され、ＢＤ＿ＦＬＧ信号の状態によりＢＤ＿ＴＧＬ信号を初期化される、シーケンスイネーブル発生部３６によりＢＤ＿ＴＧＬ信号の状態と／ＢＤ信号の立ち下がりエッジでＳＱ＿ＥＮ信号を発生させる構成である。
【００３２】
図７は、本発明が適用されるツインビーム方式の印装置における水平方向同期信号とビデオデータの関係を説明する図である。水平方向同期信号／ＢＤは印字有効領域の期間で有効となり、信号としては第１パルスと第２パルスの構成となり第１パルスで第１レーザーの同期、第２パルスで第２レーザーの同期をとるため、印字開始すると／ＢＤ信号がプリンタ部からコントローラ部へと入力され、／ＢＤ信号の立ち下がりエッジに同期するようにビデオデータＶＤＡＴＡ１とＶＤＡＴＡ２をコントローラ部はプリンタ部へ出力させる。
【００３３】
ここでＶＤＡＴＡ１は第１レーザー用のデータ、ＶＤＡＴＡ２は第２レーザー用のデータとなる。第１パルスか第２パルスは／ＢＤ信号の立ち下がりエッジでトグルするＢＤ＿ＴＧＬ信号により判定し、／ＢＤ信号の立ち下がり時にＢＤ＿ＴＧＬ信号がＬＯＷの場合は第１パルスと認識し、ＢＤ＿ＴＧＬ信号がＨＩＧＨの場合は第２パルスと認識される。
【００３４】
図８は、スリープ２モードへの移行及び復帰時の際に予想される／ＢＤ信号に発生するリンギングを説明する図であり、スリープ２モードではプリンタ部の電源は遮断されるが、コントローラ部の電源は供給されたままのためモード移行時と復帰時にリンギングの状況によっては、コントローラ部側に／ＢＤ信号が１パルスだけ入力されてしまう場合があり、前述したようにツインビーム方式の印刷装置において／ＢＤ信号は第１パルスと第２パルスと２つのパルスで構成されるためシーケンスが崩れてしまい、出力画像に不具合が生じてしまう可能性がある。
【００３５】
図９は、前述の出力画像に不具合が生じてしまう場合を説明した図である。スリープ２モードへの移行及び復帰時に／ＢＤ信号に印字開始前に１パルスがコントローラ部に入力されることにより、コントローラ部は前述のパルスを通常動作する場合の第１パルスと認識してしまうことにより、このパルスに同期して第１レーザー用のビデオデータを出力してしまい、本来印字開始時に入力される／ＢＤ信号の第１パルスで第２レーザー用のビデオデータを出力してしまうこととなり、印字結果として１ライン分間引かれたようなものとなってしまい、不具合が生じてしまう。
【００３６】
図１０は、本発明である同期信号の監視及び復帰回路が適応された場合を説明した図である。スリープ２モードへの移行及び復帰時に／ＢＤ信号に印字開始前に１パルスがコントローラ部に入力してしまうが、／ＢＤの立ち上がりエッジからＣＵＮＴ信号を任意に設定された値までカウントした時の／ＢＤ信号の状態により、ＢＤ＿ＦＬＧ信号をセットする、任意のカウント値後／ＢＤ信号のレベルがＨＩＧＨだったらＢＤ＿ＦＬＧ信号をＬＯＷにセット、／ＢＤ信号のレベルがＬＯＷだったらＢＤ＿ＦＬＧ信号をＨＩＧＨにセットする。ＢＤ＿ＦＬＧ信号の立ち上がりエッジによりＢＤ＿ＴＧＬ信号をＬＯＷにセットし初期化する。
【００３７】
これにより／ＢＤ信号の第１パルスと第２パルスの関係が本来の同期の関係の信号へと復帰することができ、第１レーザー用のビデオデータＶＤＡＴＡ１と第２レーザー用のビデオデータＶＤＡＴＡ２を出力可能とし、シーケンスイネーブル信号も正常に動作生成することを可能とすることを実現させる。
【図面の簡単な説明】
【００３８】
【図１】本発明を適応可能なツインビーム方式レーザービームプリンタの構成を示す断面図である。
【図２】本発明の一実施形態を示すブロック図である。
【図３】本発明の一実施形態を示すコントローラ部とプリンタ部の接続を示すブロック図である。
【図４】本発明の一実施形態を示す省電力モードの対応形態を示す図である
【図５】本発明の一実施形態を省電力モードへの移行及び復帰条件を示す状態遷移図である。
【図６】本発明の一実施形態を示す同期信号の監視及び復帰の構成を示すブロック図である。
【図７】本発明を適応可能なツインビーム方式レーザービームプリンタの通常の動作時の同期信号とビデオデータ信号の関係を示す図である。
【図８】本発明の一実施形態を示すモード移行時及び復帰時に発生する同期信号の問題を示す図である。
【図９】本発明の一実施形態を示す問題が発生した場合の同期信号とビデオデータ信号の関係を示した図である。
【図１０】本発明の一実施形態を示す同期信号の監視及び復帰回路を適用し問題を回避した場合の同期信号とビデオデータ信号の関係を示した図である。
【符号の説明】
【００３９】
１７  プリンタ部
２２  ＡＳＩＣ
３０  同期信号監視及び復帰部
３１  立ち上がりエッジ検出部
３２  立ち下がりエッジ検出部
３３  トグル部
３４  カウンタ部
３５  同期信号検出部
３６  シーケンスイネーブル発生部
３７  立ち上がりエッジ検出部
１０００  コントローラ部
１５００  ツインビーム方式のレーザービームプリンタ
【図１】
2006248155.tif 000003
【図２】
2006248155.tif 000004
【図３】
2006248155.tif 000005
【図４】
2006248155.tif 000006
【図５】
2006248155.tif 000007
【図６】
2006248155.tif 000008
【図７】
2006248155.tif 000009
【図８】
2006248155.tif 000010
【図９】
2006248155.tif 000011
【図１０】
2006248155.tif 000012